(57)【特許請求の範囲】
【請求項１】
外箱の内部に内箱を設置して構成され、内箱は、四角形の底壁部と、底壁部の４辺から立ち上がる４つの側壁部と、互いに対向する２つの側壁部の上端縁にて側壁部の外側へ折り返された２つの折り返し部とを具え、前記２つの側壁部と２つの折り返し部の間の折り曲げ線は、前記底壁部と前記２つの側壁部の間の折り曲げ線に対して傾斜し、
前記内箱の２つの側壁部はそれぞれ底壁部に沿って延びる帯状を呈して、その長さ方向の一方の端部での高さ寸法と他方の端部での高さ寸法とが互いに異なっており、前記２つの折り返し部はそれぞれ側壁部に沿って延びる帯状を呈して、その長さ方向に一定の高さ寸法を有し、折り返し部の高さ寸法は側壁部の高さ寸法と同等若しくはより大きく形成されていることを特徴とする梱包装置。
【請求項２】
前記内箱を構成する他の２つの側壁部はそれぞれ底壁部に沿って延びる帯状を呈して、その長さ方向に一定の高さを有し、一方の側壁部の高さと他方の第２側壁部の高さとが互いに異なっている請求項１に記載の梱包装置。
【請求項３】
外箱の内部に設置されて外箱の内部空間を仕切るための内箱において、四角形の底壁部と、底壁部の４辺から立ち上がる４つの側壁部と、互いに対向する２つの側壁部の上端縁にて側壁部の外側へ折り返された２つの折り返し部とを具え、前記２つの側壁部と２つの折り返し部の間の折り曲げ線は、前記底壁部と前記２つの側壁部の間の折り曲げ線に対して傾斜し、
前記２つの側壁部はそれぞれ底壁部に沿って延びる帯状を呈して、その長さ方向の一方の端部での高さ寸法と他方の端部での高さ寸法とが互いに異なっており、前記２つの折り返し部はそれぞれ側壁部に沿って延びる帯状を呈して、その長さ方向に一定の高さ寸法を有し、折り返し部の高さ寸法は側壁部の高さ寸法と同等若しくはより大きく形成されていることを特徴とする内箱。
【発明の詳細な説明】
【技術分野】
【０００１】
本発明は、電子機器等の物品を収容するための梱包装置、並びに該梱包装置に用いる内箱に関するものである。
【背景技術】
【０００２】
従来、段ボール等の紙製の外箱と内箱から構成される梱包装置が知られている。この種の梱包装置においては、外箱の内部に内箱を設置することにより、内箱の内側と内箱の外側にそれぞれ物品収容室を形成し、内箱の内側に収容された物品と内箱の外側に収容された物品との衝突による物品の損傷を防止することが行なわれている(特許文献１等)。
【０００３】
内箱は、段ボール等の紙製の板材を折り曲げて作製される。ここで、折り曲げ線は互いに平行若しくは直交しており、これによって、内箱の内側には、直方体の空間からなる物品収容室が形成される。
【先行技術文献】
【特許文献】
【０００４】
【特許文献１】特開２００９−１６６８５２号公報
【発明の概要】
【発明が解決しようとする課題】
【０００５】
従来の梱包装置においては、内箱の内側に形成される物品収容室は、６面が互いに平行若しくは直交する直方体の空間に形成されているため、立体形状が直方体に近い物品を収容する場合は、内箱の物品収容室に物品を収まり良く収容することが出来るが、一方の端部と他方の端部の厚さ(高さ寸法)が大きく異なる物品の場合は、物品収容室に物品を収容した状態で物品にガタツキが生じるため、内箱を複数のパーツで構成して、物品の立体形状に応じた物品収容室を形成することが行なわれている。
【０００６】
しかしながら、内箱を複数のパーツで構成することにより部品点数が増加してしまう問題があった。
【０００７】
本発明の目的は、少ないパーツで物品の立体形状に応じた物品収容室を形成することが出来る梱包装置及び内箱を提供することである。
【課題を解決するための手段】
【０００８】
本発明に係る梱包装置は、外箱(１)の内部に内箱(２)を設置して構成され、内箱(２)は、四角形の底壁部(21)と、底壁部(21)の４辺から立ち上がる４つの側壁部(22)(22)(23a)(23b)と、互いに対向する２つの側壁部(22)(22)の上端縁にて側壁部(22)(22)の外側へ折り返された２つの折り返し部(24)(24)とを具え、前記２つの側壁部(22)(22)と２つの折り返し部(24)(24)の間の折り曲げ線Ｅは、前記底壁部(21)と前記２つの側壁部(22)(22)の間の折り曲げ線Ａに対して傾斜している。
【０００９】
本発明に係る梱包装置においては、四角形の底壁部(21)と、底壁部(21)の４辺から立ち上がる４つの側壁部(22)(22)(23a)(23b)と、互いに対向する２つの側壁部(22)(22)の上端縁にて側壁部(22)(22)の外側へ折り返された２つの折り返し部(24)(24)とが形成され、底壁部(21)の４辺から立ち上がる４つの側壁部(22)(22)(23a)(23b)によって包囲された物品収容室が形成される。
【００１０】
ここで、互いに対向する２つの側壁部(22)(22)と２つの折り返し部(24)(24)の間の折り曲げ線Ｅが、底壁部(21)と２つの側壁部(22)(22)の間の折り曲げ線Ａに対して傾斜しているので、２つの側壁部(22)(22)はそれぞれ台形状となり、物品収容室は、一方の端部での高さ寸法が他方の端部での高さ寸法よりも小さな台形台状の空間となる。
この様にして物品収容室が形成され、該物品収容室には、一方の端部の高さ寸法が他方の端部の高さ寸法よりも小さな物品を収まり良く収容することが出来る。
【００１１】
具体的態様において、前記内箱(２)の２つの側壁部(22)(22)はそれぞれ底壁部(21)に沿って延びる帯状を呈して、その長さ方向の一方の端部での高さ寸法と他方の端部での高さ寸法とが互いに異なっており、前記２つの折り返し部(24)(24)はそれぞれ側壁部(22)に沿って延びる帯状を呈して、その長さ方向に一定の高さ寸法Ｈ０を有し、折り返し部(24)(24)の高さ寸法Ｈ０は側壁部(22)(22)の高さ寸法と同等若しくはより大きく形成されている。
【００１２】
該具体的態様によれば、外箱(１)の内部に内箱(２)を設置した状態で、内箱(２)の折り返し部(24)(24)の先端縁が外箱(１)の底壁部(11)に接地し、内箱(２)の底壁部(21)と２つの側壁部(22)(22)との間の折り曲げ線Ａが、外箱(１)の底壁部(11)に対して傾斜することになり、これに伴って、内箱(２)の底壁部(21)が外箱(１)の底壁部(11)に対して傾斜することになる。
【００１３】
更に具体的な態様において、前記内箱(２)を構成する他の２つの側壁部(23a)(23b)はそれぞれ底壁部(21)に沿って延びる帯状を呈して、その長さ方向に一定の高さ寸法を有し、一方の側壁部(23a)の高さ寸法Ｈ１と他方の第２側壁部(23b)の高さ寸法Ｈ２とが互いに異なっている。
【００１４】
該具体的態様によれば、内箱(２)の底壁部(21)の傾斜に応じて、一方の側壁部(23a)の高さＨ１を小さく、他方の第２側壁部(23b)の高さＨ２を大きく形成することによって、物品収容室の上面を略水平に形成することが出来る。
【発明の効果】
【００１５】
本発明に係る梱包装置及び内箱によれば、一方の端部の高さ寸法が他方の端部の高さ寸法よりも小さな物品を収まり良く収容することが出来る物品収容室を、少ないパーツから形成することが出来る。
【図面の簡単な説明】
【００１６】
【図１】図１は、本発明に係る梱包装置の斜視図である。
【図２】図２は、該梱包装置を構成する外箱と内箱の分解斜視図である。
【図３】図３は、該梱包装置の平面図である。
【図４】図４は、図３のＲ−Ｒ線に沿う断面図である。
【図５】図５は、本発明に係る内箱の平面図である。
【図６】図６は、図５のＴ−Ｔ線に沿う断面図である。
【図７】図７は、内箱を展開した段ボール材を裏面側から見た図である。
【発明を実施するための形態】
【００１７】
以下、本発明の実施の形態につき、図面に沿って具体的に説明する。
本発明に係る梱包装置は、図１に示す如く、段ボール製の外箱(１)の内部に段ボール製の内箱(２)を設置して構成されており、内箱(２)の内側に物品収容室Ｓが形成されると共に、内箱(２)の外側に４つの物品収容室が形成されている。
尚、外箱(１)の一部を構成する開閉蓋は図示省略している。
【００１８】
内箱(２)は、図７に示す如く打ち抜き成形された紙製の板材の一つである段ボール材を折り曲げて構成され、四角形の底壁部(21)と、該底壁部(21)の上下両側に帯状に形成された２つの第１側壁部(22)(22)と、該底壁部(21)の左右両側に帯状に形成された２つの第２側壁部(23a)(23b)と、２つの第１側壁部(22)(22)の外側に帯状に形成された２つの折り返し部(24)(24)と、一方の折り返し部(24)の両端部に突設された２つのアーム部(25)(25)と、他方の折り返し部(24)の両端部に突設された２つのアーム部(26)(26)とを有している。
【００１９】
底壁部(21)と２つの第１側壁部(22)(22)との間には、互いに平行な２つの折り曲げ線Ａ、Ａが形成されると共に、底壁部(21)と２つの第２側壁部(23a)(23b)との間には、互いに平行な２つの折り曲げ線Ｂ、Ｂが形成されている。
又、２つの第１側壁部(22)(22)と２つの折り返し部(24)(24)との間には、前記折り曲げ線Ａ、Ａに対して傾斜した２つの折り曲げ線Ｅ、Ｅが形成されている。
【００２０】
更に、一方の折り返し部(24)とその両側のアーム部(25)(25)と間には２つの折り曲げ線Ｆ、Ｆが形成されると共に、他方の折り返し部(24)との両側のアーム部(26)(26)との間には２つの折り曲げ線Ｆ、Ｆが形成されている。
更に又、第１側壁部(22)(22)と第２側壁部(23a)(23b)との連結部には、底壁部(21)の４つの角部から折り返し部(24)(24)へ向かって斜め方向に延びる４つの折り曲げ線Ｄ〜Ｄが形成されている。
【００２１】
ここで、左側の第２側壁部(23a)は、その長さ方向に一定の高さ寸法Ｈ１を有し、右側の第２側壁部(23b)は、その長さ方向に一定の高さ寸法Ｈ２を有し、高さ寸法Ｈ１は高さ寸法Ｈ２よりも小さくなっている。
又、第１側壁部(22)は、左側の端部が左側の第２側壁部(23a)の高さ寸法Ｈ１と略同一の高さ寸法を有すると共に、右側の端部が右側の第２側壁部(23b)の高さ寸法Ｈ１と略同一の高さ寸法を有して、左側の端部から右側の端部に向かって高さ寸法が拡大している。
【００２２】
一方の折り返し部(24)及びその両側のアーム部(25)(25)は、一方の端部から他方の端部に向かって一定の高さ寸法Ｈ０を有し、他方の折り返し部(24)及びその両側のアーム部(26)(26)は、一方の端部から他方の端部に向かって前記高さ寸法Ｈ０と同じ一定の高さ寸法Ｈ０を有している。
そして、前記高さ寸法Ｈ０は、右側の第２側壁部(23b)の高さ寸法Ｈ２と同等若しくは僅かに大きく形成されている。
【００２３】
上記の段ボール材を折り曲げるに際し、折り曲げ線Ａ、Ｂ、Ｄ及びＦは、図７の紙面の表面側から見た場合に山折り、折り曲げ線Ｃ及びＥは、図７の紙面の表面側から見た場合に谷折りとされ、これによって図２に示す立体形状の内箱(２)が形成される。
【００２４】
該内箱(２)においては、底壁部(21)が水平面に対して傾斜すると共に、該底壁部(21)の４辺から第１側壁部(22)(22)及び第２側壁部(23a)(23b)が鉛直方向に立ち上がり、第１側壁部(22)(22)の外側に折り返し部(24)(24)が折り返されている。
又、図５の如く、一方の折り返し部(24)の両端から２つのアーム部(25)(25)が外向きに直角に折り曲げられると共に、他方の折り返し部(24)の両端から２つのアーム部(26)(26)が外向きに直角に折り曲げられている。
【００２５】
図２の如く、内箱(２)の第１側壁部(22)(22)はそれぞれ、その長さ方向の一方の端部での高さ寸法と他方の端部での高さ寸法とが互いに異なっており、左側における高さ寸法は右側における高さ寸法よりも小さくなっている。
又、２つの折り返し部(24)(24)はそれぞれ、図６に示す如く、その長さ方向に一定の高さ寸法Ｈ０を有し、折り返し部(24)(24)の高さ寸法Ｈ０は、右側の第２側壁部(23b)の高さ寸法Ｈ２と同等若しくは僅かに大きく形成されている。
これによって、第１側壁部(22)(22)及び第２側壁部(23a)(23b)の上端縁(折り曲げ線Ｅ)は水平方向に延びている。
【００２６】
上述の内箱(２)を図１、図３及び図４に示す如く外箱(１)の内部に設置して、本発明に係る梱包装置を組み立てる。ここで、内箱(２)の折り返し部(24)(24)の下端縁は外箱(１)の底壁部(11)に接地し、内箱(２)の底壁部(21)は、外箱(１)の底壁部(11)から浮上した位置で傾斜姿勢に保持されることになる。
そして、第１側壁部(22)(22)及び折り返し部(24)(24)の両端が外箱(１)の底壁部(11)に当接すると共に、アーム部(25)(26)の先端が外箱(１)の側壁部(12)に当接して、外箱(１)の内部における内箱(２)の位置が規定される。
【００２７】
この結果、外箱(１)の内部が５つの物品収容室に仕切られることになり、内箱(２)の内側に形成される物品収容室Ｓは、左側の端部における高さ寸法が小さく、右側の端部における高さ寸法が大きな台形台状の空間となる。
従って、内箱(２)の内側に形成される物品収容室Ｓには、一方の端部の高さ寸法が小さく、他方の端部における高さ寸法が大きな物品を、収まり良く収容することが出来る。
【００２８】
上述の如く、本発明に係る梱包装置によれば、外箱(１)の内部に設置される内箱(２)の内側に形成される物品収容室には、一方の端部の高さ寸法が他方の端部の高さ寸法よりも小さな物品を収まり良く収容することが出来るので、内箱が複数のパーツで構成されていた従来の梱包装置と比較して、部品点数を減少させることが出来る。
【００２９】
尚、本発明の各部構成は上記実施の形態に限らず、特許請求の範囲に記載の技術的範囲内で種々の変形が可能である。例えば、外箱(１)や内箱(２)の材質としては、段ボール材のような紙に限らず、合成樹脂や人工皮革を用いることも可能である。
【符号の説明】
【００３０】
(１)  外箱
(11)  底壁部
(12)  側壁部
(２)  内箱
(21)  底壁部
(22)  第１側壁部
(23a) 第２側壁部
(23b) 第２側壁部
(24)  折り返し部
(25)  アーム部
(26)  アーム部
【図１】
0005473661.tif 000002
【図２】
0005473661.tif 000003
【図３】
0005473661.tif 000004
【図４】
0005473661.tif 000005
【図５】
0005473661.tif 000006
【図６】
0005473661.tif 000007
【図７】
0005473661.tif 000008